(57)【要約】【課題】上腕における血圧測定に適したところにカフ帯を位置させて血圧測定を行うことができるものとする。【解決手段】阻血用のカフ帯を備えたカフブロック１と、このカフブロック１が回動自在に連結された台座ブロック２とを備えるとともに、台座ブロックはカフブロックが装着される被験者の肘に当接する肘置き部を有する。台座ブロックに対するカフブロックの回動に伴うカフブロック一端から肘置き部までの距離を補正するための補正手段を備える。【選択図】図１
2008148764.tif 000002
【特許請求の範囲】
【請求項１】
阻血用のカフ帯を備えたカフブロックと、このカフブロックが回動自在に連結された台座ブロックとを備えるとともに、上記台座ブロックはカフブロックが装着される被験者の肘に当接する肘置き部を有している血圧計であって、台座ブロックに対するカフブロックの回動に伴うカフブロック一端から肘置き部までの距離変化を補正するための補正手段を備えていることを特徴とする血圧計。
【請求項２】
肘置き部は台座ブロックに対してスライド自在に支持された肘置きブロックに設けられており、上記肘置きブロックはカフブロックに連結されて台座ブロックに対するカフブロックの回動に伴って台座ブロック上をスライド移動するものであることを特徴とする請求項１記載の血圧計。
【請求項３】
肘置きブロックはカフブロックの回動に伴うスライド移動に際して水平面に対する角度をほぼ一定に保つものであることを特徴とする請求項２記載の血圧計。
【請求項４】
肘置きブロックはカフブロックの回動に伴うスライド移動に際して水平面に対する角度を変化させるものであることを特徴とする請求項２記載の血圧計。
【請求項５】
肘置きブロックは被験者の前腕を受ける前腕サポート部を備えるとともに、肘置き部で支持する肘よりも前腕サポート部で支持する前腕の手首を低い位置に保つものであることを特徴とする請求項１〜４のいずれか１項に記載の血圧計。
【請求項６】
台座ブロックに対する肘置きブロックのスライド移動を禁止するロック手段を備えていることを特徴とする請求項２記載の血圧計。
【請求項７】
台座ブロックは肘置きブロックが備えるガイド軸が摺動自在に係合するガイド溝を備えており、ロック手段は上記ガイド溝に連続するロック溝に上記ガイド軸を位置させることでロックを行うものであることを特徴とする請求項６記載の血圧計。
【請求項８】
肘置き部を備えた台座ブロックとカフブロックとは回動自在に且つ台座ブロックとカフブロックとの間隔を変化させる方向にスライド自在に連結されていることを特徴とする請求項１記載の血圧計。
【請求項９】
阻血用のカフ帯を備えたカフブロックから突出して該カフブロックが装着される被験者の脇の下に一端を当接させるゲージを備えているとともに、該ゲージ棒はカフブロックからの突出長が可変となっていることを特徴とする血圧計。
【発明の詳細な説明】
【技術分野】
【０００１】
本発明は、上腕での血圧測定のための血圧計に関するものである。
【背景技術】
【０００２】
上腕での血圧測定にあたり、阻血用のカフ帯を上腕に巻き付けるものにおいては、カフ帯が上腕の適切な箇所を締め付けるようにしなくては正確な血圧測定ができないが、適切な位置にカフ帯を位置させることは困難である。
【０００３】
この点において、図８に示すように、カフ帯及びカフ帯の巻き付け機構を内蔵するカフブロック１が回動自在に連結されている台座ブロック２上に、カフブロック１における挿通口１０に上腕を挿通した血圧測定の被験者の肘を受ける肘置き部２９を設けたものがある。この場合、この肘置き部２９に肘を置くことで、カフブロック１内のカフ帯の位置を定めることができる。
【０００４】
しかし、台座ブロック２にカフブロック１の一端の縁の部分を軸３によって回動自在に連結している関係上、カフブロック１の角度が変わればカフブロック１の一端面から肘置き部２９までの距離が変わることから、上腕に対するカフ帯の位置もずれてくることになる。
【特許文献１】特開２００４−２５４８８２号公報
【発明の開示】
【発明が解決しようとする課題】
【０００５】
本発明は上記の従来の問題点に鑑みて発明したものであって、上腕における血圧測定に適したところにカフ帯を位置させて血圧測定を行うことができる血圧計を提供することを課題とするものである。
【課題を解決するための手段】
【０００６】
上記課題を解決するために本発明に係る血圧計は、阻血用のカフ帯を備えたカフブロックと、このカフブロックが回動自在に連結された台座ブロックとを備えるとともに、上記台座ブロックはカフブロックが装着される被験者の肘に当接する肘置き部を有している血圧計であって、台座ブロックに対するカフブロックの回動に伴うカフブロック一端から肘置き部までの距離変化を補正するための補正手段を備えていることに特徴を有している。
【０００７】
台座ブロックに対するカフブロックの角度変化に伴ってカフブロック一端から台座ブロック上の肘置き部までの距離が変化してしまうことを、補正手段で補正することができるようにしたものである。
【０００８】
この時、肘置き部は台座ブロックに対してスライド自在に支持された肘置きブロックに設けられており、上記肘置きブロックはカフブロックに連結されて台座ブロックに対するカフブロックの回動に伴って台座ブロック上をスライド移動するものであると、上記補正を自動で行うことができる。
【０００９】
上記肘置きブロックはカフブロックの回動に伴うスライド移動に際して水平面に対する角度をほぼ一定に保つもののほか、カフブロックの回動に伴うスライド移動に際して水平面に対する角度を変化させるものであってもよく、後者であればカフブロックに腕を通しやすく且つ肘の位置決めを確実に行うことができるものとなる。
【００１０】
さらに肘置きブロックは被験者の前腕を受ける前腕サポート部を備えるとともに、肘置き部で支持する肘よりも前腕サポート部で支持する前腕の手首を低い位置に保つものであってもよい。この場合、台座ブロックを載置する机上面を前腕サポートに利用することができるために、前腕サポート部を大きくしなくても前腕全体を支持することができる。
【００１１】
台座ブロックに対する肘置きブロックのスライド移動を禁止するロック手段を備えていると、カフブロックの回動も止めることができ、持ち運びなどを容易に行うことができるものとなる。
【００１２】
台座ブロックは肘置きブロックが備えるガイド軸が摺動自在に係合するガイド溝を備えており、ロック手段は上記ガイド溝に連続するロック溝に上記ガイド軸を位置させることでロックを行うものであると、ロックを簡便な構成で行うことができる。
【００１３】
肘置き部を備えた台座ブロックとカフブロックとは回動自在に且つ台座ブロックとカフブロックとの間隔を変化させる方向にスライド自在に連結されているものであってもよい。
【００１４】
更には阻血用のカフ帯を備えたカフブロックから突出して該カフブロックが装着される被験者の脇の下に一端を当接させるゲージを備えているとともに、該ゲージ棒はカフブロックからの突出長が可変となっているものであってもよい。
【発明の効果】
【００１５】
本発明は、カフブロック一端から台座ブロック上の肘置き部までの距離変化を補正手段で補正することができるために、上腕における血圧測定に適した位置にカフ帯を位置させることができるために、測定精度のばらつきの要因の一つであるカフ帯装着位置のばらつきを抑えて正確な血圧測定を行うことができる。
【発明を実施するための最良の形態】
【００１６】
以下、本発明を添付図面に示す実施形態に基いて説明すると、図１において、１はカフ帯及び該カフ帯を上腕に巻き付けるための巻き付け機構を内蔵したカフブロックであり、上腕を挿通するための挿通口１０が貫通する筒状となっている。このカフブロック１は、机上などに載置される台座ブロック２に対して軸３によって回動自在に連結されることで、挿通口１０に通した腕の角度を変更することができるようにしてある。
【００１７】
また、台座ブロック２の上面には肘位置の位置決め用の肘置き部４４と、前腕を支えることになる前腕サポート部４５とを備えた肘置きブロック４をスライド自在に配設してある。この肘置きブロック４はその一端が上記カフブロック１の軸３から少し離れたところに支軸４０によって連結されているために、台座ブロック２に対してカフブロック１を回動させたならば、肘置きブロック４はカフブロック１の回動角度に応じて台座ブロック２上の位置を前後に変更し、カフブロック１の回動に伴ってカフブロック１の一端面から肘置き部４４までの距離が変化してしまうことを防ぐ。
【００１８】
このものでは、カフブロック１の挿通口１０に上腕９を挿通した血圧測定被験者の背が高くて（あるいは台座ブロック２が置かれた面の高さが低くて）、カフブロック１と水平面とのなす角度（カフブロック１の傾斜角度）γが大きい時、肘置きブロック４は上記軸３から離れたところに位置し、逆に血圧測定被験者の背が低くて（あるいは台座ブロック２が置かれた面の高さが高くて）、カフブロック１と水平面とのなす角度（カフブロック１の傾斜角度）γが小さい時には、肘置きブロック４は上記軸３に寄ったところに位置する。
【００１９】
このために、肘置きブロック４における肘位置の位置決め用の肘置き部４４からカフブロック１内のカフ帯までの距離は、カフブロック１の傾斜角度に拘わらず、ほぼ一定に保たれるものであり、このために常に正確な血圧測定を行うことができるものである。
【００２０】
また、上記肘置きブロック４は台座ブロック２に設けられたガイド溝２１に沿って摺動するガイド軸４１を備えているのであるが、上記ガイド溝２１は、上記軸３寄りの一端よりも他端側の方が低い位置にくる円弧状のもの（斜め直線状であってもよい）としてある。これはカフブロック１の回動に伴う肘置きブロック４の上記前後動が、肘置きブロック４の傾斜角度θをほぼ一定に保った状態でなされるようにしているためである。
【００２１】
図２に示すように、ガイド溝２１は水平面に対してほぼ平行な直線状のものとしてもよい。この場合、カフブロック１の回動に伴って肘置きブロック４がスライドする時、肘置きブロック４はその角度θを変化させるが、カフブロック１の挿通口１０に腕を通すために、図２(a)に示すようにカフブロック１を手前側に大きく傾けた時、肘置きブロック４の角度θが小さくなって腕置きブロック４上面が水平面に近くなることから、上記挿通口１０に腕を通すにあたって肘置きブロック４が邪魔になることがない。そして血圧測定時には、肘置きブロック４の角度θが大きくなるために、肘の位置決めが容易且つ確実となる。
【００２２】
図３に示すものは、上記図１に示したものにロック機構を付加したもので、該ロック機構は、台座ブロック２に設けたガイド溝２１の途中から斜め上方に立ち上がるロック溝２２で構成している。カフブロック１及び肘置きブロック４を持ち上げるように回動させることでガイド軸４１をロック溝２２側に移動させ、ロック溝２２端部のロック用係合部２３にガイド軸４１を係合させることで、肘置きブロック４がロックされるものであり、これに伴ってカフブロック１も回動させることができないロック状態となる。図中１５はカフブロック１を回動させる際に手を掛けるための取っ手であり、上記ロック時にはこの血圧計を持ち運ぶためのものとして機能する。
【００２３】
また、上記ロック時には肘置きブロック４がカフブロック１の挿通口１０の一端を閉じるようにしておくことで、ロック状態のままで、つまりは適切な角度に上腕を保つことができない状態のままで血圧測定がなされてしまうことを防いでいる。
【００２４】
なお、上記ロックの解除は、挿通口１０に腕先を入れて肘置きブロック４を押し込みつつカフブロック１を引き起こすことでなされるようにしておけば、血圧測定のために挿通口１０に腕を挿入することと、ロック解除とを同時に行うことができるものとなり、ロック解除だけの手間を別途必要としなくなる。
【００２５】
上記ロック溝２２は図４に示すようにそのガイド溝２１側の幅を広くすることで、ガイド溝２１のどの位置にガイド軸４１があってもロック溝２２側に移動させてロック用係合部２３に係合させることができるものとなるために、ロック状態への移行が容易なものとなる。
【００２６】
ところで、肘置きブロック４には肘位置の位置決め用の肘置き部４４だけでなく、前腕サポート部４５を一体に設けることで前腕も支えて、測定時の腕を楽な状態に保つことができるようにしているのであるが、この前腕サポート部４５は通常手首側が高くなるようにして（前記角度θがプラスの値を持つ）いる。
【００２７】
ここにおいて前腕サポート部４５は前腕全体を支持するものが最も好ましいが、上記のものにおいて前腕全体を支持しようとしたならば、前腕サポート部４５を長くしなくてはならず、全体として大型化してしまう。しかし、図５に示すように、前腕サポート部４５を手首側が低くなる角度θを持つものとすれば、前腕の手首側は台座ブロック２を載置した机上面で支持することができるものとなり、前腕サポート４５部分は肘の近辺を支持するだけでよくなるために、前腕の支持を確実としつつ、全体としての小型化を図ることができる。
【００２８】
この場合、前腕サポート部４５は、プラスチック等の硬質のものよりも、スポンジ、発泡ゴム等の軟質なもので形成しておくことが望ましい。また、肘置き部４４は肘を置く位置が明確となるように凹部として設けておくことが望ましい。なお、前腕サポート部４５を上記のようにすることは、肘置きブロック４が台座ブロック２に一体となっているものにおいても適用することができる。
【００２９】
図６に他の実施の形態の一例を示す。これは台座ブロック２の上面で直接肘や前腕を支持するようにしたもので、肘置きブロック４を台座ブロック２に一体としたものに相当する。そして、この台座ブロック２とカフブロック１とは軸３によって回動自在に連結しているのであるが、この軸３は台座ブロック２に設けたスライド溝３３に沿ってその位置を変更することができるようにしてある。
【００３０】
このためにカフブロック１の挿通口１０に上腕を挿通するとともに台座ブロック２における肘位置の位置決め部分に肘を当てた時、そのカフブロック１と台座ブロック２とがなす角度を適切に保つことができると同時に、カフブロック１を上腕における血圧測定に適切なところに位置させることができる。
【００３１】
図７に更に他の実施形態の一例を示す。これは一端を被験者の脇の下に当接させることができる棒状のゲージ６をカフブロック１から突出させたもので、該ゲージ６はカフブロック１に対して挿通口１０の軸線と平行な方向にスライド自在としてある。
【００３２】
被験者の腕の長さなどに応じてゲージ６をスライドさせてその突出長を定めた後、ゲージ６の先端が脇の下に当たるまで挿通口１０に上腕を差し込むことで、カフブロック１を上腕における血圧測定に適切なところに位置させることができる。
【図面の簡単な説明】
【００３３】
【図１】本発明の実施の形態の一例を示すもので、(a)(b)は共に概略側面図である。
【図２】同上の他例を示すもので、(a)(b)は共に概略側面図である。
【図３】同上の更に他例を示すもので、(a)(b)は共に概略側面図である。
【図４】同上の別の例を示す概略側面図である。
【図５】同上の更に別の例を示す斜視図である。
【図６】他の実施の形態の一例を示す概略側面図である。
【図７】別の実施の形態の一例を示すもので、(a)(b)は概略側面図である。
【図８】従来例を示すもので、(a)(b)は概略側面図である。
【符号の説明】
【００３４】
１  カフブロック
２  台座ブロック
３  軸
４  肘置きブロック
【図１】
2008148764.tif 000003
【図２】
2008148764.tif 000004
【図３】
2008148764.tif 000005
【図４】
2008148764.tif 000006
【図５】
2008148764.tif 000007
【図６】
2008148764.tif 000008
【図７】
2008148764.tif 000009
【図８】
2008148764.tif 000010